(57)【要約】  【課題】  本発明は、受信しているデータの種別に最適な通知方法に自動的に切り替えてユーザへ通知することのできる通信品質通知装置及びその通信品質通知装置を用いる移動通信装置を提供する。  【解決手段】  本発明の通信品質通知装置は、受信部１１により受信したデータのストリーム種別を判定する通信データ種別判定部１５と、通信品質判定部１４により通信品質が劣化していると判定した場合、通信データ種別判定部１５により判定したストリーム種別に応じて特定される、掲示部１３による出力形態に基づいて、通知部１７による出力形態を決定する通知方法決定部１６と、を備え、通知部１７が、通知方法決定部１６により決定した出力形態により、通信品質の劣化をユーザに通知する、ものである。【選択図】  図１
2006340094.tif 000002
【特許請求の範囲】
【請求項１】
データ通信を行う通信手段と、
前記通信手段により受信したデータを再生出力する掲示手段と、
前記通信手段によるデータ通信の通信品質を判定する通信品質判定手段と、
前記通信品質判定手段により通信品質が劣化していると判定した場合、通信品質の劣化をユーザに通知する通知手段と、を備える通信品質通知装置であって、
前記通信手段により受信したデータのストリーム種別を判定する通信データ種別判定手段と、
前記通信品質判定手段により通信品質が劣化していると判定した場合、前記通信データ種別判定手段により判定したストリーム種別に応じて特定される、前記掲示手段による出力形態に基づいて、前記通知手段による出力形態を決定する通知方法決定手段と、を備え、
前記通知手段は、前記通知方法決定手段により決定した出力形態により、通信品質の劣化をユーザに通知する、
通信品質通知装置。
【請求項２】
請求項１記載の通信品質通知装置であって、
前記通信品質判定手段により判定した通信品質の時間的変化に基づき、通信品質の変化傾向を判定する通信品質傾向判定手段を備え、
前記通知方法決定手段は、前記通信品質傾向判定手段により通信品質が劣化傾向にあると判定した場合、前記掲示手段による出力形態に基づいて、前記通知手段による出力形態を決定する、
通信品質通知装置。
【請求項３】
請求項１又は２記載の通信品質通知装置であって、
前記通知方法決定手段は、前記通信品質判定手段により通信品質が劣化していると判定した場合、前記掲示手段による出力形態と当該通信品質とに基づいて、前記通知手段による出力形態を決定する、
通信品質通知装置。
【請求項４】
請求項１ないし３のいずれか１項記載の通信品質通知装置を搭載する移動通信装置。
【発明の詳細な説明】
【技術分野】
【０００１】
本発明は、無線でデータ通信を行う際に、データ通信の通信品質が劣化したとき、その通信品質が劣化したことをユーザに通知する通信品質通知装置、及びその通信品質通知装置を用いる移動通信装置に関するものである。
【背景技術】
【０００２】
近年、無線でデータ通信を行う携帯電話などの移動通信装置が注目され普及しつつある。このような移動通信装置においては、音声データもしくは映像データはパケットで転送されており、パケットの遅延や損失、電波状況などから、通信品質の劣化が発生する可能性がある。通信品質の劣化によって、通話品質もしくは映像品質が悪化することがあり、ユーザの視聴に悪影響を与えることもある。
【０００３】
この課題に対して、通信品質が劣化し始まった早い段階で、その通信品質の劣化をユーザに通知し、ユーザに通信状況の良いところへの移動を促すことにより、通信品質を回復することが考えられる。これを実現する従来の電子機器としては、無線通信を行う電子機器間の通信異常を検出し、ユーザに報知する機能を備えたものがある。
【０００４】
この電子機器として、例えば、特開２００２−１６５３９号公報（特許文献１）に開示された無線通信異常検出機能付き電子機器及びシステムがある。従来の無線通信異常検出機能を備えた電子機器の構成例を図１６に示す。電子機器１７００は、受信部１７０１、提示部１７０２、通信品質判定部１７０３、及び通知部１７０４を備えて構成される。通信品質判定部１７０３が受信部１７０１で受信された信号の品質が劣化したと判定すると、通知部１７０４に通知命令を送出し、通知部１７０４が通信異常をユーザに通知する。通知手段としては、ＬＣＤや、スピーカや、バイブレータなどがある。
【０００５】
【特許文献１】特開２００２−１６５３９号公報
【発明の開示】
【発明が解決しようとする課題】
【０００６】
しかしながら、従来の無線通信異常検出機能を備えた電子機器においては、各種の手段で異常を通知することができるが、通信しているデータのストリーム種別（音声、映像など）に応じて適切な通知方法を自動的に切り替えることができないので、例えば、ＬＣＤによる通知を選択した場合、何らかの映像信号を再生しているときにその再生画面上に通知情報を表示すると、その通知はユーザの視聴に邪魔になる可能性がある。
【０００７】
本発明は、上記事情に鑑みてなされたもので、受信しているデータの種別に最適な通知方法に自動的に切り替えてユーザへ通知することのできる通信品質通知装置及びその通信品質通知装置を用いる移動通信装置を提供することを目的とする。
【課題を解決するための手段】
【０００８】
本発明の通信品質通知装置は、データ通信を行う通信手段と、前記通信手段により受信したデータを再生出力する掲示手段と、前記通信手段によるデータ通信の通信品質を判定する通信品質判定手段と、前記通信品質判定手段により通信品質が劣化していると判定した場合、通信品質の劣化をユーザに通知する通知手段と、を備える通信品質通知装置であって、前記通信手段により受信したデータのストリーム種別を判定する通信データ種別判定手段と、前記通信品質判定手段により通信品質が劣化していると判定した場合、前記通信データ種別判定手段により判定したストリーム種別に応じて特定される、前記掲示手段による出力形態に基づいて、前記通知手段による出力形態を決定する通知方法決定手段と、を備え、前記通知手段が、前記通知方法決定手段により決定した出力形態により、通信品質の劣化をユーザに通知する、ものである。
【０００９】
この構成により、通信データの種別により、通信データの再生の邪魔にならない最適な通知方法に自動的に切り替えることができ、ユーザの視聴に悪影響を与えない通知方法で通信品質が劣化したことをユーザに通知することができる。
【００１０】
また、本発明の通信品質通知装置は、前記通信品質判定手段により判定した通信品質の時間的変化に基づき、通信品質の変化傾向を判定する通信品質傾向判定手段を備え、前記通知方法決定手段が、前記通信品質傾向判定手段により通信品質が劣化傾向にあると判定した場合、前記掲示手段による出力形態に基づいて、前記通知手段による出力形態を決定する、ものを含む。
【００１１】
この構成により、通信品質判定部が取得された通信品質レベルは閾値より高くないと判定した場合、さらに通信品質の変化傾向を判定し、通信品質の傾向はよい方向に変化していると判定したとき、通信品質の劣化をユーザに通知しないが、通信品質の傾向は悪い方向に変化していると判定したときのみ、通信品質の劣化をユーザに通知する。これにより、ユーザに通知する回数を減らすことができ、より効率的に通信状態をユーザに通知することができる。
【００１２】
さらに、本発明の通信品質通知装置は、前記通知方法決定手段が、前記通信品質判定手段により通信品質が劣化していると判定した場合、前記掲示手段による出力形態と当該通信品質とに基づいて、前記通知手段による出力形態を決定する、ものを含む。
【００１３】
この構成により、通信品質の劣化程度が変化しても最適な通知方法で通信品質をユーザに通知することができる。また、通信品質レベルにより通知頻度あるいは強度を決定することができるので、通信品質の劣化程度をユーザに通知することができる。
【００１４】
本発明の移動通信装置は、本発明の通信品質通知装置を用いるものである。
【００１５】
この構成により、移動通信装置も本発明の各通信品質通知装置と同様な機能を持つことができる。
【発明の効果】
【００１６】
本発明は、受信しているデータの種別に最適な通知方法に自動的に切り替えてユーザへ通知することのできるという効果を有する通信品質通知装置及びその通信品質通知装置を用いる移動通信装置を提供することができるものである。
【発明を実施するための最良の形態】
【００１７】
以下、本発明の実施形態の通信品質通知装置について、図面を用いて説明する。
【００１８】
（第１の実施形態）
図１は、本発明の第１の実施形態に係る通信品質通知装置の全体構成を示すブロック図である。
【００１９】
図１において、通信品質通知装置１０は、通信データを受信する受信部１１と、受信した通信データを復号する復号部１２と、復号したデータを再生提示する提示部１３と、通信品質レベルを判定する通信品質判定部１４と、受信した通信データの種別を判定する通信データ種別判定部１５と、通信データ種別及び通信品質レベルより通知方法を決定する通知方法決定部１６と、決定された通知方法により通信品質が劣化したことをユーザに通知する通知手段１７とを有する構成である。
【００２０】
受信部１１は、アンテナを介して図示しない相手の通信機器と所定の周波数帯域による無線でデータ通信を行い、無線で通信データの受信を行うものである。
【００２１】
復号部１２は、受信された無線通信データを提示部１３により再生できるように復号するものである。
【００２２】
提示部１３は、ＬＣＤやスピーカなど、復号された無線通信データを再生提示するものである。
【００２３】
通信品質判定部１４は、受信された無線通信データの欠落や電波状況などから通信品質レベルを判定するものである。
【００２４】
通信品質の要因と通信品質レベルとの関連は表１に示す。
【表１】
2006340094.tif 000003
【００２５】
通信データ種別判定部１５は、受信された無線通信データの種別を判定するものである。無線通信データの種別は、例えば、映像データや音声データなどがある。
【００２６】
通知方法決定部１６は、通信データ種別よりどのような通知手段を用いて通知するかという通知種別を決定し、通信品質レベルより通知頻度あるいは強度などを通知方法として決定するものである。ここで、通信データの再生の邪魔にならないように、通知種別を決定する。例えば、音声データを再生している際に、その音声データの再生に影響を与えないため、ＬＥＤの点滅やＬＣＤへの警告表示などの通知種別を決定する。逆に、映像データを再生しているとき、ＬＣＤへの警告表示を利用した場合、そのＬＣＤへの警告表示は映像データの再生の邪魔になるので、この時、ＬＣＤへの警告表示ではなく、アラーム音の鳴動による通知する通知種別を決定する。また、通信品質レベルより、ＬＣＤへの警告表示やＬＥＤ点滅の頻度、アラーム音の強度を決定する。例えば、音声データの通信品質レベルは低いほど、ＬＥＤ点滅の間隔が短くなり、映像データの通信品質レベルは低いほど、アラーム音の鳴動が強くなる。これにより、通信品質レベルの低下程度をユーザに通知する。
【００２７】
通知手段１７は、通知方法決定部１６で決定された通知方法により通信品質をユーザに通知する。具体的な通知手段としては、例えば、ＬＣＤやＬＥＤやスピーカやバイブレータなどがある。
【００２８】
次に、本発明の第１の実施形態に係る通信品質通知装置１０について、通知方法決定部１６を中心とした受信された通信データ種別が異なるときの通信品質通知動作を図２に示すフローチャートに基づいて説明する。
【００２９】
まず、受信部１１は、アンテナを介して無線で通信データを受信し、通信データ種別判定部１５は受信された通信データの種別を取得する（ステップＳ２０１）。
【００３０】
通信品質判定部１４は受信された通信データの欠落や電波状況などから通信品質を判定し、通信品質レベルを取得し（ステップＳ２０２）、取得した通信品質レベルは予め設定した閾値より高いかを判断し（ステップＳ２０３）、通信品質レベルは閾値より高いと判定した場合、通信品質の劣化が再生に悪影響を与える程度ではなく、ユーザに通知する必要がないとみなして、ステップＳ２０１に戻り、再度通信データの種別を取得する。
【００３１】
一方、ステップＳ２０３において、取得した通信品質レベルは閾値より高くないと判定した場合、通信品質判定部１４は通信品質レベルを通知方法決定部１６に通知し、通知方法決定部１６はステップＳ２０１で取得された通信データの種別及び通信品質判定部１４からの通信品質レベルにより、通知種別及び通知頻度あるいは強度という通知方法を決定し、通知部１７に通知命令を送出する（ステップＳ２０４）。ここで、通知種別を決定するとき、通信データの種別により通信データの再生の邪魔にならない通知種別を決定し、通知頻度あるいは強度を決定するとき、通信品質レベルが低いほど通知頻度あるいは強度が高くなるように設定する。
【００３２】
通知部１７は、ステップＳ２０４で決定した通知種別及び通知頻度あるいは強度により、ユーザへ通知する（ステップＳ２０５）。
【００３３】
以上説明したように、通信品質判定部１４が通信品質レベルを検出し、通信データ種別判定部１５が通信データの種別を判定し、通知方法決定部１６が通信データ種別及び通信品質レベルに基づいて、最適な通知方法を自動的に決定する。
【００３４】
このため、通信データの種別が変化しても最適な通知方法で通信品質をユーザに通知することができる。
【実施例１】
【００３５】
本実施例は、第１の実施形態の具体例を説明するものである。すなわち、通信データはストリームであり、通信品質が劣化したと判定した場合、ストリームの種別により、ストリームの再生の邪魔にならない通知方法を自動的に決定し、その通知方法を用いて通信品質が劣化したことをユーザに通知する具体例である。ここで、ストリームの種別として、音声のみと、映像のみと、音声＋映像とを例として説明する。
【００３６】
図３は、本実施例に係る通信品質通知装置３０の構成を示すブロック図である。
本実施例の通信品質通知装置３０は、図１に示す通信品質通知装置１０において、復号部１２としてメディアプレーヤー１２１を設け、提示部１３として、ＬＣＤ１３１とスピーカ１３２を設け、通信データ種別判定部１５の代わりにストリーム種別判定部１５１を設け、通知部１７としてＬＥＤ１７１とバイブレータ１７２を設けた。なお、図１に示した通信品質通知装置１０と同一の構成要素には、同一の符号を付してその説明を省略する。
【００３７】
メディアプレーヤー１２１は、受信した映像ストリームあるいは音声ストリームをＬＣＤ１３１あるいはスピーカ１３２で再生できるように復号するものである。
【００３８】
ＬＣＤ１３１は、メディアプレーヤー１２１で復号した映像信号を再生表示するものである。
【００３９】
スピーカ１３２は、メディアプレーヤー１２１で復号した音声信号を再生するものである。
【００４０】
ストリーム種別判定部１５１は、メディアプレーヤー１２１で復号したストリームの種別を判定するものである。ここで、ストリームの種別は音声のみと、映像のみと、音声＋映像とがある。
【００４１】
ＬＥＤ１７１は、点滅により、通信品質レベルをユーザに通知するものである。
【００４２】
バイブレータ１７２は、振動により、通信品質レベルをユーザに通知するものである。
【００４３】
本実施例に係る通信品質通知装置３０について、受信したストリーム種別が異なるときの通信品質通知動作を図４に示すフローチャートに基づいて説明する。
【００４４】
まず、受信部１１は、アンテナを介してストリームを受信し、通信品質判定部１４は、受信したストリームの通信品質レベルを取得し（ステップＳ４０１）、取得したストリーム通信品質レベルは閾値より高いかを判断し（ステップＳ４０２）、取得したストリーム通信品質レベルは閾値より高いと判定した場合、通信品質の劣化が再生に悪影響を与える程度ではなく、ユーザに通知する必要がないとみなして、ステップＳ４０１に戻り、再度受信ストリーム通信品質レベルを取得する。
【００４５】
一方、ステップＳ４０２において、取得した受信ストリーム通信品質レベルは閾値より高くないと判定した場合、通信品質判定部１４は通信品質レベルを通知方法決定部１６に通知し、ストリーム種別判定部１５１は受信部１１で受信されたストリームの種別を取得し、通知方法決定部１６に渡し（ステップＳ４０３）、通知方法決定部１６はストリームの種別は映像＋音声であるかを判断する（ステップＳ４０４）。
【００４６】
ステップＳ４０４において、受信されたストリームの種別は映像＋音声であると判定した場合、通知方法決定部１６が通知種別をＬＥＤ１７１の点滅及びバイブレータ１７２の振動に決定し（ステップＳ４０５）、ＬＥＤ１７１点滅の頻度及びバイブレータ１７２振動の強度は通信品質判定部１４からの通信品質レベルにより決定する（ステップＳ４０６）。ここで、ストリームは映像＋音声であるので、この映像＋音声の再生の邪魔にならないため、映像及び音声による通知を避ける必要がある。映像及び音声以外の通知種別として、ＬＥＤ１７１の点滅とバイブレータ１７２の振動を利用する。また、ＬＥＤ１７１点滅の頻度とバイブレータ１７２振動の強度は通信品質レベルにより決定し、通信品質レベルは低いほどＬＥＤ１７１点滅の頻度とバイブレータ１７２振動の強度は高くなり、これにより通信品質レベル低下の程度をユーザに通知する。
【００４７】
図５は、通信品質レベルによってＬＥＤの点滅間隔の例を示す図である。この図５において、通信品質レベルは低いほどＬＥＤの点滅間隔は短くなり、点滅の頻度は高くなる。
【００４８】
ＬＥＤ１７１の点滅とバイブレータ１７２の振動は５秒間隔で行いながら（ステップＳ４０７）、ステップＳ４０１に戻り、通信品質レベルを取得する。通信品質が回復した場合、継続的に通信品質の劣化を通知する必要がないので、ここで、５秒間隔で通知しながら、通信品質の回復状況を監視する。
【００４９】
一方、ステップＳ４０４において、ストリームは映像＋音声ではないと判定した場合、ストリームは音声であるかを判断し（ステップＳ４０８）、ストリームは音声であると判定した場合、通知種別をＬＣＤ１３１による警告表示に決定し（ステップＳ４０９）、常時ＬＣＤ１３１による通知しながら（ステップＳ４１０）、ステップＳ４０１に戻り、通信品質レベルを取得する。ここで、ストリームは音声であるので、ＬＣＤ１３１による警告を表示する場合、音声の再生の邪魔にならないので、通知種別として利用可能である。
【００５０】
一方、ステップＳ４０８において、ストリームは音声ではないと判定した場合、ストリームは映像であるかを判断し（ステップＳ４１２）、ストリームは映像であると判定した場合、通知種別をアラーム鳴動に決定し（ステップＳ４１３）、アラーム鳴動の頻度は通信品質判定部１４からの通信品質レベルにより決定し（ステップＳ４１４）、５秒間隔でスピーカ１３２によるアラーム鳴動で通知しながら（ステップＳ４１５）、ステップＳ４０１に戻り、通信品質レベルを取得する。ここで、ストリームは映像であるので、アラームの鳴動は映像の再生の邪魔にならないため、通知方法として適切である。
【００５１】
一方、ステップＳ４１２において、ストリームは映像ではないと判定した場合、ステップＳ４０１に戻り、通信品質レベルを取得する。
【００５２】
このような本発明の第１の実施形態に係る通信品質通知装置によれば、通信データの種別により、通信データの再生の邪魔にならない最適な通知方法に自動的に切り替えることができ、ユーザの視聴に影響を与えない通知方法で通信品質が劣化したことをユーザに通知することができる。
【００５３】
また、通信品質レベルにより通知頻度あるいは強度を決定するので、通信品質の劣化程度をユーザに通知することができる。
【００５４】
なお、上記の説明では、通知方法として、ＬＥＤの点滅やバイブレータの振動などを説明したが、時間軸通信品質レベルグラフで表示して通知してもよい。図６は、時間軸通信品質レベルグラフで表示して通知する例を示す。
【００５５】
また、通信品質通知装置が移動通信装置に搭載される場合、その移動通信装置が操作部としての数字キーを用いるとき、通信品質レベルと一致する数字のテンキーを点灯、点滅させて通信品質レベルを通知してもよい。図７は、通信品質レベルと一致する数字のテンキーを点灯、点滅させて通信品質レベルを通知する例を示す。
【００５６】
また、音声ストリーム再生中に、ＢＧＭを重畳して、通信品質が低くなるとＢＧＭのボリュームが大きくなって通知してもよい。図８は、ＢＧＭを重畳して通知する例を示す。
【００５７】
さらに、ＬＥＤ点滅の頻度ではなく、ＬＥＤの色を変化して通信品質の変化を通知してもよい。
【００５８】
また、上記の説明では、通信データをストリームとする例を説明したが、本発明は、それに限定されたものではなく、例えば、テキストや静止画像などに対しても同様な効果が得られる。
【００５９】
また、本発明の通信品質通知装置を移動通信装置に搭載することにより、移動通信装置にも同様な効果が得られる。
【００６０】
（第２の実施形態）
図９は、本発明の第２の実施形態に係る通信品質通知装置の全体構成を示すブロック図である。
【００６１】
本実施形態は、通信品質判定部より通信品質が劣化したと判定した場合、さらに通信品質の変化傾向を判断し、通信品質はよい方向に変化している場合に、通信品質の劣化をユーザに通知する必要がなく、通信品質は悪い方向に変化している場合に、通信品質の劣化をユーザに通知する例である。
【００６２】
第２の実施形態の通信品質通知装置１００は、図１に示す通信品質通知装置１０において、通信品質傾向判定部１８を設けた。なお、図１に示した通信品質通知装置１０と同一の構成要素には、同一の符号を付してその説明を省略する。
【００６３】
通信品質傾向判定部１８は、通信品質の統計をとり、通信品質がよくなっている等の傾向を判定する。通信品質傾向判定部１８による通信品質傾向の判定方法の１例としては、通信品質傾向判定部１８は、通信品質判定部１４が連続的に取得している通信品質レベルの変化量が負の場合、通信品質の傾向は良い方向に変化していると判定し、逆にその変化量が正の場合、通信品質の傾向は悪い方向に変化していると判定する方法が挙げられる。
【００６４】
本実施形態に係る通信品質通知装置１００の通信品質通知動作について、図１０に示すフローチャートに基づいて説明する。
【００６５】
まず、受信部１１は、アンテナを介して無線で通信データを受信し、通信品質判定部１４は受信された通信データの欠落や電波状況などから通信品質を判定し、通信品質レベルを取得し（ステップＳ１１０１）、取得した通信品質レベルは閾値より高いかを判断し（ステップＳ１１０２）、通信品質レベルは閾値より高いと判定した場合、通信品質の劣化が再生に悪影響を与える程度ではなく、ユーザに通知する必要がないとみなして、ステップＳ１１０１に戻り、再度通信品質レベルを取得する。
【００６６】
一方、ステップＳ１１０２において、通信品質判定部１４が取得した通信品質レベルは閾値より高くないと判定した場合、通信品質傾向判断部１８が通信品質の統計をとり、通信品質の傾向を取得し（ステップＳ１１０３）、通信品質の傾向はよい方向に変化しているかを判定する（ステップＳ１１０４）。
【００６７】
ステップＳ１１０４において、通信品質の傾向はよい方向に変化していると判定した場合、ユーザに通知する必要がないとみなして、ステップＳ１１０１に戻り、再度通信品質レベルを取得する。
【００６８】
一方、ステップＳ１１０４において、通信品質の傾向は悪い方向に変化していると判定した場合、通信品質傾向判断部１８が通信品質レベルを通知方法決定部１６に送出し、通信データ種別判定部１５は受信部１１で受信された通信データの種別を取得する（ステップＳ１１０５）。
【００６９】
通知方法決定部１６はステップＳ１１０５で取得した通信データの種別及び通信品質傾向判断部１８からの通信品質レベルにより、通知種別及び通知頻度あるいは強度という通知方法を決定する（ステップＳ１１０６）。ここで、通知種別を決定するとき、通信データの再生の邪魔にならない通知種別を決定し、通知頻度あるいは強度を決定するとき、通信品質レベルが低いほど通知頻度あるいは強度が高くなるように設定する。
【００７０】
通知部１７は、ステップＳ１１０６で決定した通知種別及び通知頻度あるいは強度により、ユーザへ通知する（ステップＳ１１０７）。
【００７１】
このような本発明の第２の実施形態に係る通信品質通知装置によれば、通信品質判定部が取得した通信品質レベルは閾値より高くないと判定した場合、さらに通信品質の変化傾向を判定し、通信品質の傾向は良い方向に変化していると判定したとき、通信品質の劣化をユーザに通知しないが、通信品質の傾向は悪い方向に変化していると判定したときのみ、通信品質の劣化をユーザに通知する。これにより、ユーザに通知する回数を減らすことができ、より効率的に通信状態をユーザに通知することができる。
【００７２】
（第３の実施形態）
図１１は、本発明の第３の実施形態に係る通信品質通知装置の全体構成を示すブロック図である。
【００７３】
本実施形態は、閾値２とその閾値２より低い閾値１とを設け、通信品質レベルは閾値２より低い場合に、データの再生の邪魔にならない通知方法を選択し、通信品質レベルがさらに低下し、閾値１より低くなると、視聴できないくらいの通信品質になるとみなして注目している通知方法を用いて通知する例である。
【００７４】
第３の実施形態の通信品質通知装置１２０は、図１に示す通信品質通知装置１０において、通信品質判定部１４の代わりに機能が若干異なる通信品質判定部１４１を設け、通知方法決定部１６の代わりに機能が若干異なる通知方法決定部１６１を設けた。なお、図１に示した通信品質通知装置１０と同一の構成要素には、同一の符号を付してその説明を省略する。
【００７５】
通信品質判定部１４１は、閾値２と閾値１を用いて通信品質を判定するものである。
【００７６】
通知方法決定部１６１は、通信データ種別と通信品質レベルより、通知種別と通知頻度あるいは強度などを通信方法として決定するものである。ここで、通信種別を決定する時、まず通信品質レベルは閾値２より低いが閾値１より高い場合、通信データの再生の邪魔にならない通知方法を決定し、通信品質がさらに劣化し、通信品質レベルは閾値１より低くなる場合、注目し易い通知方法を決定する。通信データの再生の邪魔にならない通知方法としては、例えば、音声データを再生した際に、その音声データの再生に影響を与えないため、ＬＥＤの点滅などの通知方法を決定する。注目し易い通知方法としては、例えば、音声データを再生した際に、アラーム鳴動による通知方法を決定する。
【００７７】
本実施形態に係る通信品質通知装置１２０の通信品質通知動作について、図１２に示すフローチャートに基づいて説明する。
【００７８】
まず、受信部１１は、アンテナを介して無線で通信データを受信し、通信品質判定部１４１は受信された通信データの欠落や電波状況などから通信品質を判定し、通信品質レベルを取得し（ステップＳ１３０１）、取得した通信品質レベルは閾値２より高いかを判断し（ステップＳ１３０２）、通信品質レベルは閾値２より高いと判定した場合、通信品質の劣化が再生に影響を与える程度ではなく、ユーザに通知する必要がないとみなして、ステップＳ１３０１に戻り、再度通信品質レベルを取得する。
【００７９】
一方、ステップＳ１３０２において、通信品質判定部１４１が取得した通信品質レベルは閾値２より高くないと判定した場合、さらに取得された通信品質レベルは閾値１より高いかを判断する（ステップＳ１３０３）。
【００８０】
ステップＳ１３０３において、通信品質判定部１４１が取得した通信品質レベルは閾値１より高いと判定した場合、通信品質レベルを通知方法決定部１６１に送出し、通信データ種別判定部１５が通信データの種別を取得し（ステップＳ１３０４）、通知方法決定部１６１が通信品質判定部１４１からの通信品質レベル及び通信データ種別判定部１５からの通信データの種別より通信データの再生の邪魔にならない通知種別及び通知の頻度や強度などの通知方法を決定し（ステップＳ１３０５）、通知部１７が決定された通知種別及び通知方法により通知する（ステップＳ１３０６）。
【００８１】
一方、ステップＳ１３０３において、通信品質判定部１４１が取得した通信品質レベルは閾値１より高くないと判定した場合、通信品質レベルを通知方法決定部１６１に送出し、通信データ種別判定部１５が通信データの種別を取得し（ステップＳ１３０７）、通知方法決定部１６１が通信品質判定部１４１からの通信品質レベル及び通信データの種別から注目し易い通知方法を決定し（ステップＳ１３０８）、通知部１７が決定された通知方法により通知する（ステップＳ１３０６）。
【００８２】
以上説明したように、通信品質判定部１４１が閾値２とその閾値２より低い閾値１を用いて、通信品質の劣化程度を判定し、通信品質レベルは閾値２より低い場合に、データの再生の邪魔にならない通知方法を選択し、通信品質レベルはさらに低下し、閾値１より低くなると、視聴できないくらいの通信品質になるとみなして注目し易い通知方法を用いて通知する。
【００８３】
このため、通信品質の劣化程度が変化しても最適な通知方法で通信品質をユーザに通知することができる。
【実施例２】
【００８４】
本実施例は、第３の実施形態の具体例を説明するものである。すなわち、通信データはストリームであり、通信品質が劣化したと判定した場合、ストリームの種別により、ストリームの再生の邪魔にならない通知方法を自動的に決定し、その通知方法を用いて通信品質が劣化したことをユーザに通知し、通信品質がさらに視聴できなくなるまで劣化した場合に、ストリームの種別により、注目し易い通知方法を自動的に決定し、その通知方法を用いて通信品質が劣化したことをユーザに通知する具体例である。ここで、ストリームの種別として、音声のみと、映像のみと、音声＋映像とを例として説明する。
【００８５】
図１３は、本実施例に係る通信品質通知装置１４０の構成を示すブロック図である。
本実施例の通信品質通知装置１４０は、図３に示す通信品質通知装置３０において、通信品質判定部１４の代わりに機能が若干異なる通信品質判定部１４１を設け、通知方法決定部１６の代わりに機能が若干異なる通知方法決定部１６１を設け、ＬＥＤ１７１を削除した。なお、図３に示した通信品質通知装置３０と同一の構成要素には、同一の符号を付してその説明を省略する。
【００８６】
本実施例に係る通信品質通知装置１４０の通信品質通知動作について、図１４及び１６に示すフローチャートに基づいて説明する。
【００８７】
まず、受信部１１は、アンテナを介して無線で通信データを受信し、通信品質判定部１４１は受信された通信データの欠落や電波状況などから通信品質を判定し、通信品質レベルを取得し（ステップＳ１５０１）、取得した通信品質レベルは閾値２より高いかを判断し（ステップＳ１５０２）、通信品質レベルは閾値２より高いと判定した場合、通信品質の劣化が再生に影響を与える程度ではなく、ユーザに通知する必要がないとみなして、ステップＳ１５０１に戻り、再度通信品質レベルを取得する。
【００８８】
一方、ステップＳ１５０２において、通信品質判定部１４１が取得した通信品質レベルは閾値２より高くないと判定した場合、さらに取得された通信品質レベルは閾値１より高いかを判断する（ステップＳ１５０３）。
【００８９】
ステップＳ１５０３において、通信品質判定部１４１が取得した通信品質レベルは閾値１より高いと判定した場合、通信品質レベルを通知方法決定部１６１に送出し、ストリーム種別判定部１５１がストリーム種別を取得し（ステップＳ１５０４）、通知方法決定部１６１がストリーム種別は映像＋音声であるかを判断し（ステップＳ１５０５）、ストリーム種別は映像＋音声であると判定した場合、通知種別をバイブレータ１７１の弱振動に決定し（ステップＳ１５０６）、５秒間隔で振動し通知しながら（ステップＳ１５０７）、ステップＳ１５０１に戻り、通信品質レベルを取得する。
【００９０】
一方、ステップＳ１５０５において、ストリーム種別は映像＋音声ではないと判定した場合、ストリーム種別は音声であるかを判断し（ステップＳ１５０８）、ストリーム種別は音声であると判定した場合、通知種別をバイブレータ１７１の弱振動及びＬＣＤによる注意表示に決定し（ステップＳ１５０９）、５秒間隔で振動し、５秒間隔で１秒間ＬＣＤに注意表示し通知しながら（ステップＳ１５１０）、ステップＳ１５０１に戻り、通信品質レベルを取得する。
【００９１】
一方、ステップＳ１５０８において、ストリーム種別は音声ではないと判定した場合、ストリーム種別は映像であるかを判断し（ステップＳ１５１１）、ストリーム種別は映像であると判定した場合、通知種別をアラーム鳴動に決定し（ステップＳ１５１２）、５秒間隔で鳴動し通知しながら（ステップＳ１５１３）、ステップＳ１５０１に戻り、通信品質レベルを取得する。
【００９２】
一方、ステップＳ１５０３において、通信品質判定部１４１が取得した通信品質レベルは閾値１より高くないと判定した場合、視聴できないくらい通信品質が劣化しているとみなして、視聴のため注目している通知種別を用いて通知する。ここで、注目している通知種別としては、例えば、映像信号の再生中におけるＬＣＤへの警告表示、または、音声信号の再生中におけるアラーム鳴動などの通知方法がある。
【００９３】
具体的は、ストリーム種別判定部１５１がストリーム種別を取得し（ステップＳ１５１４）、通知方法決定部１６１がストリーム種別は映像＋音声であるかを判断し（ステップＳ１５１５）、ストリーム種別は映像＋音声であると判定した場合、通知種別をＬＣＤに警告表示とアラーム鳴動に決定し（ステップＳ１５１６）、常時通知しながら（ステップＳ１５１７）、ステップＳ１５０１に戻り、通信品質レベルを取得する。
【００９４】
一方、ステップＳ１５１５において、ストリーム種別は映像＋音声ではないと判定した場合、ストリーム種別は音声であるかを判断し（ステップＳ１５１８）、ストリーム種別は音声であると判定した場合、通知種別をアラーム鳴動に決定し（ステップＳ１５１９）、常時通知しながら（ステップＳ１５２０）、ステップＳ１５０１に戻り、通信品質レベルを取得する。
【００９５】
一方、ステップＳ１５１８において、ストリーム種別は音声ではないと判定した場合、ストリーム種別は映像であるかを判断し（ステップＳ１５２１）、ストリーム種別は映像であると判定した場合、通知種別をＬＣＤに警告表示に決定し（ステップＳ１５２２）、常時通知しながら（ステップＳ１５２３）、ステップＳ１５０１に戻り、通信品質レベルを取得する。
【００９６】
このような本発明の第３の実施形態に係る通信品質通知装置によれば、通信品質判定部が閾値２とその閾値２より低い閾値１を用いて、通信品質の劣化程度を判定し、通信品質レベルは閾値２より低い場合に、データの再生の邪魔にならない通知方法を選択し、通信品質レベルはさらに低下し、閾値１より低くなると、視聴できないくらいの通信品質になるとみなして注目している通知方法を用いて通知する。これにより、通信品質の劣化程度が変化しても最適な通知方法で通信品質をユーザに通知することができる。
【産業上の利用可能性】
【００９７】
以上のように、本発明にかかる通信品質通知装置は、受信しているデータの種別に最適な通知方法に自動的に切り替えてユーザへ通知することのできる通信品質通知装置及びその通信品質通知装置を用いる移動通信装置を提供することができるという効果を有し、無線でデータ通信を行う際に、データ通信の通信品質が劣化したとき、その通信品質が劣化したことをユーザに通知する通信品質通知装置、及びその通信品質通知装置を用いる移動通信装置等として有用である。
【図面の簡単な説明】
【００９８】
【図１】本発明の第１の実施形態に係る通信品質通知装置の全体構成を示すブロック図
【図２】本発明の第１の実施形態における通信品質通知装置の動作を説明するためのフローチャート図
【図３】本発明の第１の実施形態の実施例に係る通信品質通知装置の全体構成を示すブロック図
【図４】本発明の第１の実施形態の実施例における通信品質通知装置の動作を説明するためのフローチャート図
【図５】通信品質レベルによってＬＥＤの点滅間隔の例を示す図
【図６】時間軸通信品質レベルグラフで表示して通知する例を示す図
【図７】通信品質レベルと一致する数字のテンキーを点灯、点滅させて通信品質レベルを通知する例を示す図
【図８】ＢＧＭを重畳して通知する例を示す図
【図９】本発明の第２の実施形態に係る通信品質通知装置の全体構成を示すブロック図
【図１０】本発明の第２の実施形態における通信品質通知装置の動作を説明するためのフローチャート図
【図１１】本発明の第３の実施形態に係る通信品質通知装置の全体構成を示すブロック図
【図１２】本発明の第３の実施形態における通信品質通知装置の動作を説明するためのフローチャート図
【図１３】本発明の第３の実施形態の実施例に係る通信品質通知装置の全体構成を示すブロック図
【図１４】本発明の第３の実施形態の実施例における通信品質通知装置の動作を説明するためのフローチャート図
【図１５】本発明の第３の実施形態の実施例における通信品質通知装置の動作を説明するためのフローチャート図
【図１６】従来の無線通信異常検出機能を備えた電子機器の構成例を示す図
【符号の説明】
【００９９】
１０、３０、１００、１２０、１４０  通信品質通知装置
１１  受信部
１２  復号部
１３  提示部
１４、１４１  通信品質判定部
１５  通信データ種別判定部
１６、１６１  通知方法決定部
１７  通知部
１８  通信品質傾向判定部
１２１  メディアプレーヤー
１３１  ＬＣＤ
１３２  スピーカ
１５１  ストリーム種別判定部
１７１  ＬＥＤ
１７２  バイブレータ
【図１】
2006340094.tif 000004
【図２】
2006340094.tif 000005
【図３】
2006340094.tif 000006
【図４】
2006340094.tif 000007
【図５】
2006340094.tif 000008
【図６】
2006340094.tif 000009
【図７】
2006340094.tif 000010
【図８】
2006340094.tif 000011
【図９】
2006340094.tif 000012
【図１０】
2006340094.tif 000013
【図１１】
2006340094.tif 000014
【図１２】
2006340094.tif 000015
【図１３】
2006340094.tif 000016
【図１４】
2006340094.tif 000017
【図１５】
2006340094.tif 000018
【図１６】
2006340094.tif 000019